(57)【特許請求の範囲】
【請求項１】
複数の輪（１０ａ）及び網糸（１０ｂ）により伸縮可能に構成し、収縮された場合に、輪（１０ａ）の体積が変化しないため、複数の輪（１０ａ）を重ね合わせだけの厚みが存在する養殖カゴ（１０）の掃除機において、フレーム（１）の搬送方向に対して左右方向に、搬送面の下方に２本の回転ローラ（５・５）を並置し、該回転ローラ（５・５）の上面が構成する搬送面の上方に、平面視で重複するように、２本の押圧回転ローラ（１１・１１）を配設して押圧部を構成し、前記フレーム（１）の上面を構成する上板（１Ｕ）の中央位置に、搬送方向の前後方向に１本の遥動パイプ（１５）を延設し、該遥動パイプ（１５）の、前後方向の複数箇所に散水ノズル（１４・１４・・・）を配設し、該散水ノズル（１４・１４・・・）の一端が該遥動パイプ（１５）と連通しており、該散水ノズル（１４・１４・・・）の他端を下方に向けて開口して高圧水を噴射し、該遥動パイプ（１５）は、ノズル遥動モータ（１６）とクランク機構を介して、養殖カゴ（１０）の搬送方向に対して、左右方向に往復運動をすべく構成し、洗浄部とし、前記フレーム（１）を構成する側板（１Ｒ・１Ｌ）には、該押圧回転ローラ（１１・１１）を支持する部分において長孔（３５ａ）を穿設し、該押圧回転ローラ（１１・１１）の支持軸（６・６）には、円盤状に構成された防水板（３６）を固設し、該支持軸（６・６）と共に防水板（３６）も回転させ、該押圧回転ローラ（１１・１１）に固着し、該長孔（３５ａ）を通じて本体外部まで延出される支持軸（６・６）を受けるベアリング（３２・３４）と、該ベアリング（３２・３４）の上下方向に延設され、該側板（１Ｒ・１Ｌ）に固着するベアリングガイド（３５・３５）とを設け、該ベアリング（３２・３４）とベアリングガイド（３５・３５）との間にステンレス板（３７・３７）を配設し、該ステンレス板（３７・３７）は、前記ベアリング（３２・３４）の上下動のレールとし、前記２本の回転ローラ（５・５）の前記フレーム（１）への支持部においては、前記フレーム（１）の側板（１Ｌ）の中央下部にローラ取付側板（１Ｔ）を配設し、該ローラ取付側板（１Ｔ）には、前記２本の回転ローラ（５・５）の支持部を構成し、該ローラ取付側板（１Ｔ）はボルト（５２）の締結により、該側板（１Ｌ）に脱着自在としたことを特徴とする養殖カゴ掃除機。
【発明の詳細な説明】
【０００１】
【発明の属する技術分野】
本発明は、主として帆立貝等の貝類の養殖に用いられる養殖カゴに、養殖中に付着するカキ、フジツボ、サンゴ質等を取り除く養殖カゴ掃除機に関するものである。
【０００２】
【従来の技術】
従来より、養殖に用いる前記のようなこの種のカゴは、通常三ヶ月間から一年以上という長期間にわたり海中に放置するため、網糸にプランクトンが付着し、やがてこのプランクトンは生育し種々の付着物が生じてしまう。この付着物は通水性を阻害し、養殖物たる帆立貝等のエサ、酸素等の所得に多大な害となるため、該付着物は養殖期間の一定期間ごとに、或いはカゴの再利用の際に取り除く必要がある。該付着物としてはカキ、フジツボ、サンゴ類といった硬質なものが主であって、かつ網糸を中心として網糸を取り囲むように生育しているため、該カゴから引き剥がすためには大きな押圧力を必要としていた。特開昭５２−６９７９２号にしめす技術では、該カゴを上下より圧力を加える押圧ローラによって押圧して付着物を押し潰し、上方より高圧水噴射ノズルより高圧水を噴射して該付着物を洗い流していた。
【０００３】
【発明が解決しようとしている課題】
従来の技術では、養殖カゴに押圧力を加えて付着物を押し潰し、同時に洗浄するという主目的は果たせても、その他不備な点が多かった。貝の養殖に関わる作業であるため海沿いの場所で作業が行われ、塩水、潮風等による腐蝕の影響が甚大であった。高圧水として用いられる水も海水であり、掃除機本体は常に塩水に晒されているのである。したがって本発明においては、悪条件下での養殖カゴ掃除機の耐久性を向上させることを目的としているのである。
【０００４】
【課題を解決するための手段】
本発明の解決しようとする課題は以上の如くであり、次に該課題を解決するための手段を説明する。
【０００５】
複数の輪（１０ａ）及び網糸（１０ｂ）により伸縮可能に構成し、収縮された場合に、輪（１０ａ）の体積が変化しないため、複数の輪（１０ａ）を重ね合わせだけの厚みが存在する養殖カゴ（１０）の掃除機において、フレーム（１）の搬送方向に対して左右方向に、搬送面の下方に２本の回転ローラ（５・５）を並置し、該回転ローラ（５・５）の上面が構成する搬送面の上方に、平面視で重複するように、２本の押圧回転ローラ（１１・１１）を配設して押圧部を構成し、前記フレーム（１）の上面を構成する上板（１Ｕ）の中央位置に、搬送方向の前後方向に１本の遥動パイプ（１５）を延設し、該遥動パイプ（１５）の、前後方向の複数箇所に散水ノズル（１４・１４・・・）を配設し、該散水ノズル（１４・１４・・・）の一端が該遥動パイプ（１５）と連通しており、該散水ノズル（１４・１４・・・）の他端を下方に向けて開口して高圧水を噴射し、該遥動パイプ（１５）は、ノズル遥動モータ（１６）とクランク機構を介して、養殖カゴ（１０）の搬送方向に対して、左右方向に往復運動をすべく構成し、洗浄部とし、前記フレーム（１）を構成する側板（１Ｒ・１Ｌ）には、該押圧回転ローラ（１１・１１）を支持する部分において長孔（３５ａ）を穿設し、該押圧回転ローラ（１１・１１）の支持軸（６・６）には、円盤状に構成された防水板（３６）を固設し、該支持軸（６・６）と共に防水板（３６）も回転させ、該押圧回転ローラ（１１・１１）に固着し、該長孔（３５ａ）を通じて本体外部まで延出される支持軸（６・６）を受けるベアリング（３２・３４）と、該ベアリング（３２・３４）の上下方向に延設され、該側板（１Ｒ・１Ｌ）に固着するベアリングガイド（３５・３５）とを設け、該ベアリング（３２・３４）とベアリングガイド（３５・３５）との間にステンレス板（３７・３７）を配設し、該ステンレス板（３７・３７）は、前記ベアリング（３２・３４）の上下動のレールとし、前記２本の回転ローラ（５・５）の前記フレーム（１）への支持部においては、前記フレーム（１）の側板（１Ｌ）の中央下部にローラ取付側板（１Ｔ）を配設し、該ローラ取付側板（１Ｔ）には、前記２本の回転ローラ（５・５）の支持部を構成し、該ローラ取付側板（１Ｔ）はボルト（５２）の締結により、該側板（１Ｌ）に脱着自在としたものである。
【０００６】
【発明の実施の形態】
次に、本発明の養殖カゴ掃除機（以下掃除機）の実施例を説明する。
【０００７】
図１は養殖カゴ掃除機の右側面図、図２はベアリングガイドを示す三面図、図３は防水板摺動の様子を示す側面図、図４は養殖カゴ掃除機本体の右側面図、図５は同じく左側面図、図６は養殖カゴ掃除機の平面図、図７は同じく後面一部断面図、図８はコンベアを示す平面図、図９は同じく側面図、図１０は散水ノズル遥動機構を示す平面図。図１１は同じく正面図、図１２は搬送受板を示す平面図、図１３は同じく側面図、図１４は養殖カゴ伸張時を示す図、図１５は養殖カゴ収縮時を示す図である。
【０００８】
図１及び図４に示すように、１はフレームで、このフレーム１には前後方向に並置され、上端が搬送面と接触する回転ローラ５・５が配設されている。それぞれの回転ローラ５・５の上方には平面視で相互が重複するように、押圧回転ローラ１１・１１が配設されている。この平面視で重複する回転ローラ５及び押圧回転ローラ１１の一対を押圧部とすると、本掃除機には前後方向へ二つの押圧部が並設されているのである。図７に示すように、回転ローラ５及び押圧回転ローラ１１は左右両端に支持軸６・６をそれぞれ相対回転不能に固着し、該支持軸６はフレーム１左右の側板１Ｒ・１Ｌ外部まで延出している。回転ローラ５の支持軸６は側板１Ｒに固設しているベアリング３０及び側板１Ｌに固設しているベアリング３１によって回動可能に支持され、押圧回転ローラ１１の支持軸６は右方ではベアリング３２によって回動可能に支持され、左方ではベアリング３４によって同様に支持されている。ベアリング３２・３４は上端でスプリング１２の一端と固着しており、該スプリング１２の他端は側板１Ｒ（１Ｌ）上に固設されているベアリング支持部３３と固着している。このためベアリング３２・３４はフレーム１とは直接固定されていない。また側板１Ｒ・１Ｌには支持軸６が上下摺動可能な様に長孔１ａ・１ａ・・が穿設されている。したがって押圧回転ローラ１１は上下動可能に構成されているのである。そして、該押圧回転ローラ１１・１１の各々はスプリング１２によって回転ローラ５に向かって押圧されるよう付勢されている。また、該押圧回転ローラ１１の回転ローラ５への付勢は、押圧回転ローラ１１の自重による寄与も大きい。なお、該スプリング１２は押圧力調整ネジによりその押圧力を調整可能となし、養殖カゴ１０の進行方向に沿ってその押圧力が強くされるように構成されている。ここで養殖カゴ１０の進行の向きを前方から後方への向きとしている。養殖カゴは図１４、図１５に示すように伸縮可能に構成されている。
【０００９】
図６に示すように、フレーム１上面右後方には、前記押圧部駆動装置としてのローラ駆動モータ２が配設され、該ローラ駆動モータ２右方に延出している出力軸には駆動スプロケット５０が固着している。また回転ローラ５・押圧回転ローラ１１の支持軸６右端には、スプロケット８・８・・が固着している。そして駆動スプロケット５０、スプロケット８・８・・及び、側板１Ｒ上の中部上方、後部下方に配設されているテンションスプロケット５１・５１はチェーン７を巻回している。該テンションスプロケット５１による外周方向への付勢によって、押圧回転ローラ１１のスプロケット８・８の上下動によるチェーン７の弛みを防止している。
【００１０】
養殖カゴ１０を矢印Ａに示すような向きに沿って本掃除機本体に挿入される。掃除すべき該養殖カゴ１０を載置しておくため、本体前部には導入受板２１が配設されている。また本体後部には本掃除機によって掃除された養殖カゴ１０を載置しておくため、取出受板２２が配設されている。導入受板２１、取出受板２２はそれぞれ一端に回動可能に設けられている支持脚２３によって地面（床面）に対し水平に固定できるように構成されている。また導入受板２１、取出受板２２は、他端において掃除機本体と回動可能に接続され、非作業時には折り畳み収納を可能にしている。
【００１１】
導入受板２１より掃除機本体へ挿入された養殖カゴ１０は、まずコンベヤ４２上に載置されて、後方へ向け搬送される。コンベヤ４２は回転ローラ５・５の前方に配設され、該コンベヤ４２の上端は搬送面と接触している。図８、図９に示すように、左右方向に延出しているシャフト４８・４９が前後方向に配設され、それぞれスプロケット４３・４３を二つずつ相対回転不能に固着している。また前後方向に配設され、正面視で重複する位置あるスプロケット４３・４３の組はチェーン４４を巻回しており、もう一組のスプロケット４３・４３も同様の構成である。そしてチェーン４４・４４間にはプレート４７・４７・・が配設されており、チェーン４４を構成するリングプレート４４ａが該プレート４７の一端と固着することでプレート４７を固定している。また、シャフト４９はスプロケット４３の左方にスプロケット４５を固着している。一方、前方に配設されている方の回転ローラ５は前記ベアリング３０と前記スプロケット８との間にスプロケット９を配設しており、該回転ローラ５及び該スプロケット８と同じく、支持軸６に固着している。そしてスプロケット４５及びスプロケット９はチェーン４６を巻回している。したがってローラ駆動モータ２の駆動力がチェーン７、該スプロケット８、スプロケット４５、チェーン４６を介して伝達され、コンベヤ４２を駆動させる。そしてプレート４７・４７・・がチェーン４４・４４と共に回転することで、該プレート４７・４７・・上に載置される養殖カゴ１０が後方へ搬送されるのである。また、コンベヤ４２上方には搬送抑板２８が配設され、搬送中の養殖カゴ１０を収縮状態に維持している。
【００１２】
コンベヤ４２を通過した養殖カゴ１０は、押圧回転ローラ１１及び回転ローラ５によって引き込まれ、上下からの圧力によって養殖カゴ１０の付着物は押し潰されることになる。図１４、図１５に示すように、養殖カゴ１０は輪１０ａ及び網糸１０ｂから構成され、収縮された場合でも輪１０ａの体積に変化はないため、輪１０ａ・１０ａ・・の重ね合わせだけの厚みが存在する。押圧回転ローラ１１及び回転ローラ５によって、前述のような厚みを有する養殖カゴ１０の輪１０ａ・１０ａ・・の厚みより喰い込んで付着物の押し潰しを確実に行う必要がある。図７に示すように、押圧回転ローラ１１及び回転ローラ５は外周を合成ゴム等の弾性体１３によって被覆されている。
【００１３】
フレーム１上面を構成する上板１Ｕ中央には、前後方向に遥動パイプ１５が延設されており、前後方向三箇所にわたって散水ノズル１４が配設され、該散水ノズル１４の一端が該遥動パイプ１５と固着している。該散水ノズル１４の他端はコンベヤ４２、回転ローラ５・５・・等の上方に位置しており、ノズル口が下方に向けて開口して高圧水を噴射する構造となっている。高圧水は、本掃除機と別個所に設けられている高圧水ポンプより本掃除機と接続するパイプを通じて該遥動パイプ１５へ、そして該遥動パイプ１５より該散水ノズル１４に供給される。
【００１４】
遥動パイプ１５は後述するように可逆回動運動を行うように構成され、散水ノズル１４のノズル口は左右方向への往復運動を行う。フレーム１の上板１Ｕには散水ノズル１４の配設位置及び移動位置に対応するように、長孔１ｂ・１ｂ・・が穿設されている。通常養殖カゴ１０は直径が１ｍ前後あるため、散水ノズル１４は養殖カゴ１０の進行方向と直角方向に複数個並置する必要があるが、水洗には高圧散水が必要で高圧水の流量を増やすことなく、一度に多量の高圧水を得るのは経済的に不利であるため、該散水ノズル１４の往復運動によって流量の不足を補うことにしている。
【００１５】
ノズル遥動モータ１６は右前方でフレーム１の上板１Ｕ上に載置され、図１０、図１１に示すように、後方に向けて駆動軸を延出し、該駆動軸は円板１７と固着している。また遥動パイプ１５はリンクアーム１８と相対回転不能に固着しており、該円板１７と該リンクアーム１８はリンクシャフト１９によって接続されている。リンクシャフト１９は一端で円板上の一点に相対回転可能に軸支されており、他端はリンクアーム１９の一端に同じく相対回転可能に軸支されている。つまりノズル遥動モータ１６から遥動パイプ１５への駆動力伝達機構はクランク機構を構成しているのである。
【００１６】
したがって、前述のように三箇所配設されている散水ノズル１４・１４・・によって、コンベヤ４２に載置され、あるいは回転ローラ５及び押圧回転ローラ１１間を挟持搬送されている養殖カゴ１０は、付着物を押し潰され、押し潰されて養殖カゴ１０の編糸から外れた付着物は高圧水によって排除されながら、進行していくのである。本掃除機は上記構造により押圧と散水を繰り返すため、一度押し潰された付着物はその都度取り除かれ、順次養殖カゴ全体の厚さを減じながら進行し、押し潰された付着物が堆積することなく押し潰しが確実に行われ、付着物の取り除きが効率的に行えるものである。なお、押圧回転ローラ１１・１１は順次強い力で押し潰すようになっているため、前段の押圧回転ローラ１１で除去できなかった付着物が後段で押し潰されて付着物の取り除きが確実であるばかりか、始めから一度に強い力で押圧せず二段に分配することにより網糸１０ｂの切断及び輪１０ａの変形を防止するものである。
【００１７】
また図５、図６に示すように、作業スイッチ２０が側板１Ｌ上の後上方端に配設されており、ローラ駆動減速桟２ａがローラ駆動モータ２上に後方へ向けて配設されている。本掃除機の操作部は作業スイッチ２０及びローラ駆動減速桟２ａによって構成される。作業スイッチ２０は押圧部、洗浄部を含めた本掃除機の作業開始、停止等を入力するスイッチであり、ローラ駆動減速桟２ａはローラ駆動モータの回転速度を変更してコンベヤ４２や押圧部の作業速度を変化させるものである。作業時には、作業者が本体前方に位置して養殖カゴ１０の本掃除機への挿入を行い、補助作業者が本体後方に位置して掃除された養殖カゴ１０を受け取るのである。そして作業によって取出受板上に排出されてくる養殖カゴ１０を認め、付着物の除去、洗浄が適切に行われているかどうかを確認するのは、補助作業者である。したがって、作業の状況に応じて補助作業者が適宜作業速度等の調節を行えるように、作業スイッチ２０及びローラ駆動減速桟２ａが本体後部に配設されているのである。
【００１８】
これより養殖カゴ掃除機における本発明の機構について説明する。まずローラ取付側板着脱構造について説明する。図５に示すように、側板１Ｌ中央下部にはローラ取付側板１Ｔが配設されており、ボルト５２・５２・・の締結によって該側板１Ｌに固定されている。該ローラ取付側板１Ｔを側板１Ｌから外すことで、作業者は掃除機本体内部を視認し、掃除機内部のメンテナンスを行うことができる。このとき作業者は回転ローラ５や搬送受板２４と容易に接触することができるのである。搬送受板２４は図１２、図１３に示すように網状に構成され、養殖カゴ１０が搬送路から脱落するのを防止し、分離された付着物を落下させている。
【００１９】
次いで、ベアリングガイド部のステンレス板について説明する。図１、図４、図５、図７に示すように、前記ベアリング３２・３４の前後及び下方を囲むベアリングガイド３５が配設されている。ベアリング３２・３４は、押圧回転ローラ１１に働く重力、スプリング１２による付勢力、養殖カゴ１０による抵抗力によって上下動を行う。このためベアリングガイド３５を側板１Ｒ・１Ｌに配設し、該ベアリングガイド３５に沿ってベアリング３２・３４を上下動させることで、該ベアリング３２・３４が側面へ振れ出るのを防止している。ベアリングガイド３５は、図２に示すように、長孔３５ａが穿設されて前記支持軸６が上下摺動可能に構成している。側板１Ｒ・１Ｌに穿設されている長孔１ａと側面視で重複するのである。なお、図２（ａ）は平面図、図２（ｂ）は側面図、図２（ｃ）は正面図である。また、ベアリングガイド３５は該ベアリングガイド３５内部の前後に、ステンレス板３７・３７を配設している。該ステンレス板３７はネジ３８によって締結されて該ベアリングガイド３５と固着している。またステンレス板３７は、該ベアリング３２・３４上下動のレールとして機能する。ベアリング３２・３４は、ステンレス板３７・３７が前後方向に配設されているためベアリングガイド３５の内壁と直接触れることなく、上下摺動を行う。このため、摩擦による負担がベアリングガイド３５に及ぶことがないのである。
【００２０】
押圧回転ローラ１１側面に配設される防水板について説明する。図３、図７に示すように、押圧回転ローラ１１と側板１Ｒ（１Ｌ）との間には防水板３６が配設されており、該防水板３６は押圧回転ローラ１１と固着している支持軸６に同じく固着している。防水板３６は円盤状に構成され、該支持軸６と固着している。したがって押圧回転ローラ１１の回転と共に防水板３６も回転するのである。前述するように側板１Ｌ・１Ｒには長孔１ａ・１ａ・・が穿設されている。そして同じく前述するように、前記散水ノズル１４からは高圧水が噴射されているため、掃除機内部の被覆が外れている該長孔１ａ・１ａ・・を通じて、水が外部へ噴出す可能性があるのである。しかも本掃除機の作業場所が海沿いの地域であり、前記高圧水ポンプから供給される水が海水であるため、一層金属部材の腐蝕効果が高いのである。防水板３６が押圧回転ローラと共に上下動するので、押圧回転ローラの上下位置によらず、掃除機内部から長孔１ａを通じての外部への水の噴出を防止している。つまり防水板３６の配設によって、ベアリング３２及びその周辺部の金属部材の防錆効果を得ているのである。
【００２１】
【発明の効果】
本発明は以上の如く構成したので、次のような効果を奏するものである。
複数の輪（１０ａ）及び網糸（１０ｂ）により伸縮可能に構成し、収縮された場合に、輪（１０ａ）の体積が変化しないため、複数の輪（１０ａ）を重ね合わせだけの厚みが存在する養殖カゴ（１０）の掃除機において、フレーム（１）の搬送方向に対して左右方向に、搬送面の下方に２本の回転ローラ（５・５）を並置し、該回転ローラ（５・５）の上面が構成する搬送面の上方に、平面視で重複するように、２本の押圧回転ローラ（１１・１１）を配設して押圧部を構成し、前記フレーム（１）の上面を構成する上板（１Ｕ）の中央位置に、搬送方向の前後方向に１本の遥動パイプ（１５）を延設し、該遥動パイプ（１５）の、前後方向の複数箇所に散水ノズル（１４・１４・・・）を配設し、該散水ノズル（１４・１４・・・）の一端が該遥動パイプ（１５）と連通しており、該散水ノズル（１４・１４・・・）の他端を下方に向けて開口して高圧水を噴射し、該遥動パイプ（１５）は、ノズル遥動モータ（１６）とクランク機構を介して、養殖カゴ（１０）の搬送方向に対して、左右方向に往復運動をすべく構成し、洗浄部とし、前記フレーム（１）を構成する側板（１Ｒ・１Ｌ）には、該押圧回転ローラ（１１・１１）を支持する部分において長孔（３５ａ）を穿設し、該押圧回転ローラ（１１・１１）の支持軸（６・６）には、円盤状に構成された防水板（３６）を固設し、該支持軸（６・６）と共に防水板（３６）も回転させ、該押圧回転ローラ（１１・１１）に固着し、該長孔（３５ａ）を通じて本体外部まで延出される支持軸（６・６）を受けるベアリング（３２・３４）と、該ベアリング（３２・３４）の上下方向に延設され、該側板（１Ｒ・１Ｌ）に固着するベアリングガイド（３５・３５）とを設け、該ベアリング（３２・３４）とベアリングガイド（３５・３５）との間にステンレス板（３７・３７）を配設し、該ステンレス板（３７・３７）は、前記ベアリング（３２・３４）の上下動のレールとし、前記２本の回転ローラ（５・５）の前記フレーム（１）への支持部においては、前記フレーム（１）の側板（１Ｌ）の中央下部にローラ取付側板（１Ｔ）を配設し、該ローラ取付側板（１Ｔ）には、前記２本の回転ローラ（５・５）の支持部を構成し、該ローラ取付側板（１Ｔ）はボルト（５２）の締結により、該側板（１Ｌ）に脱着自在としたので、通常養殖カゴ１０は直径が１ｍ前後あるため、散水ノズル１４は養殖カゴ１０の進行方向と直角方向に複数個並置する必要があるが、水洗には高圧散水が必要で高圧水の流量を増やすことなく、一度に多量の高圧水を得るのは経済的に不利であるため、該散水ノズル１４の往復運動によって流量の不足を補うことが可能となったのである。
また、前記フレーム（１）に支持する押圧回転ローラ（１１・１１）と側板（１Ｒ・１Ｌ）との支持部においては、該側板（１Ｒ・１Ｌ）に長孔（３５ａ）を穿設し、該押圧回転ローラ（１１・１１）の支持軸（６・６）には、円盤状に構成された防水板（３６）を固設し、該支持軸（６・６）と共に防水板（３６）も回転させたので、押圧回転ローラが上下動しても防水板によって養殖カゴ掃除機の内部より外部へ噴射された水が漏出することがなく、養殖カゴ掃除機の外装部材を錆びさせることがない。
【００２２】
該押圧回転ローラ（１１・１１）に固着し、該長孔（３５ａ）を通じて本体外部まで延出される支持軸（６・６）を受けるベアリング（３２・３４）と、該ベアリング（３２・３４）の上下方向に延設され、該側板（１Ｒ・１Ｌ）に固着するベアリングガイド（３５・３５）とを設け、該ベアリング（３２・３４）とベアリングガイド（３５・３５）との間にステンレス板（３７・３７）を配設し、該ステンレス板（３７・３７）は、前記ベアリング（３２・３４）の上下動のレールとしたので、押圧回転ローラと共に上下動するベアリングとベアリングガイドが接触し、ベアリングガイドが磨耗してしまうことがない。したがって、養殖カゴ掃除機の耐久性の向上に寄与するのである。
【００２３】
前記フレーム（１）に対する回転ローラ（５・５）の支持部においては、前記フレーム（１）の側板（１Ｌ）中央下部にローラ取付側板（１Ｔ）を配設し、該ローラ取付側板（１Ｔ）には、前記２つの回転ローラ（５・５）の支持部を構成し、該ローラ取付側板（１Ｔ）はボルト（５２）の締結により、該側板（１Ｌ）に脱着自在としたので、作業者は掃除機内部のメンテナンスを容易に行うことができる。このため、養殖カゴ掃除機の耐久性を向上させることができるのである。
【図面の簡単な説明】
【図１】  養殖カゴ掃除機の右側面図。
【図２】  ベアリングガイドを示す三面図。
【図３】  防水板摺動の様子を示す側面図。
【図４】  養殖カゴ掃除機本体の右側面図。
【図５】  同じく左側面図。
【図６】  養殖カゴ掃除機の平面図。
【図７】  同じく後面一部断面図。
【図８】  コンベアを示す平面図。
【図９】  同じく側面図。
【図１０】  散水ノズル遥動機構を示す平面図。
【図１１】  同じく正面図。
【図１２】  搬送受板を示す平面図。
【図１３】  同じく側面図。
【図１４】  養殖カゴ伸張時を示す図。
【図１５】  養殖カゴ収縮時を示す図。
【符号の説明】
１  フレーム
１ａ  長孔
１Ｌ  側板
１Ｔ  ローラ取付側板
６  支持軸
２  ローラ駆動モータ
５  回転ローラ
１０  養殖カゴ
１１  押圧回転ローラ
１４  散水ノズル
３５ベアリングガイド
３５ａ  長孔
３６  防水板
３７  ステンレス板
５２  ボルト
【図１】
0004408316.tif 000002
【図２】
0004408316.tif 000003
【図３】
0004408316.tif 000004
【図４】
0004408316.tif 000005
【図５】
0004408316.tif 000006
【図６】
0004408316.tif 000007
【図７】
0004408316.tif 000008
【図８】
0004408316.tif 000009
【図９】
0004408316.tif 000010
【図１０】
0004408316.tif 000011
【図１１】
0004408316.tif 000012
【図１２】
0004408316.tif 000013
【図１３】
0004408316.tif 000014
【図１４】
0004408316.tif 000015
【図１５】
0004408316.tif 000016